【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
番組の構成要素である複数のコンテンツを構成する複数のマルチメディアデータと、前記各コンテンツに対応する提示制御情報であり当該コンテンツを構成するマルチメディアデータの提示に関する初期状態を特定するための情報と当該コンテンツに関する状態の変更の契機となる時間的情報である制御用時間情報とを含む提示制御情報と、複数の前記コンテンツを相互に関連づける情報であるリンク情報とを受信してマルチメディアデータの提示を制御するデータ提示制御装置であって、
データ記憶手段と、
前記マルチメディアデータと前記提示制御情報とを前記番組の送信装置から受信し前記データ記憶手段に格納するものであり、前記受信は、送信されたデータ中から所望のデータを分離抽出することによって行う受信手段と、
現在における経時的情報を取得する経時的情報取得手段と、
各コンテンツを切り換えて提示する制御を行い、提示が必要となったコンテンツについて、前記受信手段により受信された当該コンテンツに対応する提示制御情報に従い、前記初期状態とすべくマルチメディアデータの提示を制御し、当該コンテンツの提示中において当該提示制御情報中の制御用時間情報と前記経時的情報とを比較することにより当該制御用時間情報に示された時が到来すれば当該コンテンツに関する状態の変更を行う提示制御手段と
利用者の操作による他のコンテンツの提示指示を受け付けるリンク指示受付手段とを備え、
前記提示制御手段は、前記リンク指示受付手段が受け付けた提示指定に従って各コンテンツを切り換えて提示する制御を行う
ことを特徴とするデータ提示制御装置。
【請求項２】
前記制御用時間情報は、前記番組の送信装置から繰り返し送信されたものである
ことを特徴とする請求項１記載のデータ提示制御装置。
【請求項３】
前記受信手段はさらに、前記経時的情報を送信されたデータから分離抽出し、
前記経時的情報取得手段は、前記経時的情報を前記受信手段から取得する
ことを特徴とする請求項１記載のデータ提示制御装置。
【請求項４】
前記データ記憶手段は、前記経時的情報と前記制御用時間情報との基準時刻の差である時差値を記憶し、
前記提示制御手段は、前記時差値を参照し時差を補正して前記制御用時間情報と前記経時的情報との比較を行う
ことを特徴とする請求項１記載のデータ提示制御装置。
【請求項５】
前記受信手段はさらに、前記時差値と前記経時的情報とを送信されたデータから分離抽出し、前記時差値を前記データ記憶手段に格納し、
前記経時的情報取得手段は、前記経時的情報を前記受信手段から取得する
ことを特徴とする請求項４記載のデータ提示制御装置。
【請求項６】
番組の構成要素である複数のコンテンツを構成する複数のマルチメディアデータと、前記各コンテンツに対応する提示制御情報であり当該コンテンツを構成するマルチメディアデータの提示に関する初期状態を特定するための情報と当該コンテンツに関する状態の変更を指定する命令と当該命令の実行契機となる時間的情報である制御用時間情報とを含む提示制御情報と、複数の前記コンテンツを相互に関連づける情報であるリンク情報とを受信してマルチメディアデータの提示を制御するデータ提示制御装置であって、
データ記憶手段と、
前記マルチメディアデータと前記提示制御情報とを前記番組の送信装置から受信し前記データ記憶手段に格納するものであり、前記受信は、送信されたデータ中から所望のデータを分離抽出することによって行う受信手段と、
現在における経時的情報を取得する経時的情報取得手段と、
各コンテンツを切り換えて提示する制御を行い、提示が必要となったコンテンツについて、前記受信手段により受信された当該コンテンツに対応する提示制御情報に従い、前記初期状態とすべくマルチメディアデータの提示を制御し、当該コンテンツの提示中において当該提示制御情報中の制御用時間情報と前記経時的情報とを比較することにより当該制御用時間情報に示された時が到来すれば当該制御用時間情報に対応する命令を実行する提示制御手段と、
利用者の操作による他のコンテンツの提示指示を受け付けるリンク指示受付手段とを備え、
前記提示制御手段は、前記リンク指示受付手段が受け付けた提示指定に従って各コンテンツを切り換えて提示する制御を行う
ことを特徴とするデータ提示制御装置。
【請求項７】
前記命令はマルチメディアデータの提示状態の変更に係る制御を行う命令である
ことを特徴とする請求項６記載のデータ提示制御装置。
【請求項８】
番組の構成要素である複数のコンテンツを構成する複数のマルチメディアデータと、前記各コンテンツに対応する提示制御情報であり当該コンテンツを構成するマルチメディアデータの提示に関する初期状態及び変化状態を特定するための情報と当該変化状態への変更の契機となる時間的情報である制御用時間情報とを含む提示制御情報と、複数の前記コンテンツを相互に関連づける情報であるリンク情報とを受信してマルチメディアデータの提示を制御するデータ提示制御装置であって、
データ記憶手段と、
前記提示制御情報と前記マルチメディアデータとを前記番組の送信装置から受信し前記データ記憶手段に格納するものであり、前記受信は、送信されたデータ中から所望のデータを分離抽出することによって行う受信手段と、
現在における経時的情報を取得する経時的情報取得手段と、
各コンテンツを切り換えて提示する制御を行い、提示が必要となったコンテンツについて、前記受信手段により受信された当該コンテンツに対応する提示制御情報に従い、前記初期状態とすべくマルチメディアデータの提示を制御し、当該コンテンツの提示中において当該提示制御情報中の制御用時間情報と前記経時的情報とを比較することにより当該制御用時間情報に示された時が到来すれば前記変化状態とすべくマルチメディアデータの提示を制御する提示制御手段と、
利用者の操作による他のコンテンツの提示指示を受け付けるリンク指示受付手段とを備え、
前記提示制御手段は、前記リンク指示受付手段が受け付けた提示指定に従って各コンテンツを切り換えて提示する制御を行う
ことを特徴とするデータ提示制御装置。
【請求項９】
前記制御用時間情報は日時を示す制御用日時であり、前記経時的情報は現在日時であり、
前記提示制御手段は、制御用日時が現在日時以前を示す場合には当該制御用時間情報に示された時が到来したものとして前記命令を実行する
ことを特徴とする請求項６記載のデータ提示制御装置。
【請求項１０】
前記制御用時間情報はコンテンツの表示からの経過時間を示す制御用経過時間であり、前記経時的情報はコンテンツの表示からの現在の経過時間であり、
前記提示制御手段は、前記現在の経過時間が制御用経過時間以上を示す場合には当該制御用時間情報に示された時が到来したものとして前記命令を実行する
ことを特徴とする請求項６記載のデータ提示制御装置。
【請求項１１】
番組の構成要素である複数のコンテンツを構成する複数のマルチメディアデータと、前記各コンテンツに対応する提示制御情報であり当該コンテンツを構成するマルチメディアデータの提示に関する初期状態を特定するための情報と当該コンテンツに関する状態の変更を指定する命令と当該命令の実行契機となる時間的情報である制御用時間情報と一群のマルチメディアデータを識別するための対象識別情報とを含む提示制御情報と、複数の前記コンテンツを相互に関連づける情報であるリンク情報とを受信してマルチメディアデータの提示を制御するデータ提示制御装置であって、
データ記憶手段と、
前記マルチメディアデータと前記提示制御情報とを前記番組の送信装置から受信し前記データ記憶手段に格納するものであり、前記受信は、送信されたデータ中から所望のデータを分離抽出することによって行う受信手段と、
現在における経時的情報を取得する経時的情報取得手段と、
各コンテンツを切り換えて提示する制御を行い、提示が必要となったコンテンツについて、前記受信手段により受信された当該コンテンツに対応する提示制御情報に従い、前記初期状態とすべくマルチメディアデータの提示を制御し、当該コンテンツの提示中において当該提示制御情報中の制御用時間情報と前記経時的情報とを比較することにより当該制御用時間情報に示された時が到来した場合において当該提示制御情報中の対象識別情報により特定される一群のマルチメディアデータが提示されているときは当該制御用時間情報に対応する命令を実行する提示制御手段と、
利用者の操作による他のコンテンツの提示指示を受け付けるリンク指示受付手段とを備え、
前記提示制御手段は、前記リンク指示受付手段が受け付けた提示指定に従って各コンテンツを切り換えて提示する制御を行う
ことを特徴とするデータ提示制御装置。
【請求項１２】
番組の構成要素である複数のコンテンツを構成する複数のマルチメディアデータと、前記各コンテンツに対応する提示制御情報であり当該コンテンツを構成するマルチメディアデータの提示に関する初期状態を特定するための情報と当該コンテンツに関する状態の変更を指定する命令と当該命令の実行契機となる時間的情報である制御用時間情報とを含む提示制御情報と、複数の前記コンテンツを相互に関連づける情報であるリンク情報とを受信し、利用者の操作指示を受け付けてマルチメディアデータの提示を制御するデータ提示制御装置であって、
データ記憶手段と、
前記マルチメディアデータと前記提示制御情報とを前記番組の送信装置から受信し前記データ記憶手段に格納するものであり、前記受信は、送信されたデータ中から所望のデータを分離抽出することによって行う受信手段と、
現在における経時的情報を取得する経時的情報取得手段と、
利用者の操作による動作指示を受け付ける動作指示受付手段と、
各コンテンツを切り換えて提示する制御を行い、提示が必要となったコンテンツについて、前記受信手段により受信された当該コンテンツに対応する提示制御情報に従い、前記初期状態とすべくマルチメディアデータの提示を制御し、当該コンテンツの提示中において前記動作指示受付手段により動作指示が受け付けられた場合に当該提示制御情報中の制御用時間情報と前記経時的情報とを比較することにより当該制御用時間情報に示された時が到来すれば当該制御用時間情報に対応する命令を実行する提示制御手段と、
利用者の操作による他のコンテンツの提示指示を受け付けるリンク指示受付手段とを備え、
前記提示制御手段は、前記リンク指示受付手段が受け付けた提示指定に従って各コンテンツを切り換えて提示する制御を行う
ことを特徴とするデータ提示制御装置。
【請求項１３】
番組の構成要素である複数のコンテンツを構成する複数のマルチメディアデータと、前記各コンテンツに対応する提示制御情報であり当該コンテンツを構成するマルチメディアデータの提示に関する初期状態を特定するための情報と当該コンテンツに関する状態の変更の契機となる時間的情報である制御用時間情報とを含む提示制御情報と、複数の前記コンテンツを相互に関連づける情報であるリンク情報とを受信する装置にマルチメディアデータの提示に関するデータ提示制御処理を行わせるためのデータ提示制御方法であって、
前記データ提示制御方法は、
現在における経時的情報を取得する経時的情報取得ステップと、
利用者の操作による他のコンテンツの提示指示を受け付けるリンク指示受付ステップと、
前記コンテンツの提示指示に従って各コンテンツを切り換えて提示する制御を行い、提示が必要となったコンテンツについて、受信された当該コンテンツに対応する提示制御情報に従い、前記初期状態とすべくマルチメディアデータの提示を制御し、当該コンテンツの提示中において当該提示制御情報中の制御用時間情報と前記経時的情報とを比較することにより当該制御用時間情報に示された時が到来すれば当該コンテンツに関する状態の変更を行う提示制御ステップとを含む
ことを特徴とするデータ提示制御方法。
【請求項１４】
番組の構成要素である複数のコンテンツを構成する複数のマルチメディアデータと、前記各コンテンツに対応する提示制御情報であり当該コンテンツを構成するマルチメディアデータの提示に関する初期状態を特定するための情報と当該コンテンツに関する状態の変更を指定する命令と当該命令の実行契機となる時間的情報である制御用時間情報とを含む提示制御情報と、複数の前記コンテンツを相互に関連づける情報であるリンク情報とを受信する装置にマルチメディアデータの提示に関するデータ提示制御処理を行わせるためのデータ提示制御方法であって、
前記データ提示制御方法は、
現在における経時的情報を取得する経時的情報取得ステップと、
利用者の操作による他のコンテンツの提示指示を受け付けるリンク指示受付ステップと、
前記コンテンツの提示指示に従って各コンテンツを切り換えて提示する制御を行い、提示が必要となったコンテンツについて、受信された当該コンテンツに対応する提示制御情報に従い、前記初期状態とすべくマルチメディアデータの提示を制御し、当該コンテンツの提示中において当該提示制御情報中の制御用時間情報と前記経時的情報とを比較することにより当該制御用時間情報に示された時が到来すれば当該制御用時間情報に対応する命令を実行する提示制御ステップとを含む
ことを特徴とするデータ提示制御方法。
【請求項１５】
番組の構成要素である複数のコンテンツを構成する複数のマルチメディアデータと、前記各コンテンツに対応する提示制御情報であり当該コンテンツを構成するマルチメディアデータの提示に関する初期状態を特定するための情報と当該コンテンツに関する状態の変更の契機となる時間的情報である制御用時間情報とを含む提示制御情報と、複数の前記コンテンツを相互に関連づける情報であるリンク情報とを受信する装置にマルチメディアデータの提示に関するデータ提示制御処理を行わせるための制御プログラムを記録した記録媒体であって、
前記データ提示制御処理は、
現在における経時的情報を取得する経時的情報取得ステップと、
利用者の操作による他のコンテンツの提示指示を受け付けるリンク指示受付ステップと、
前記コンテンツの提示指示に従って各コンテンツを切り換えて提示する制御を行い、提示が必要となったコンテンツについて、受信された当該コンテンツに対応する提示制御情報に従い、前記初期状態とすべくマルチメディアデータの提示を制御し、当該コンテンツの提示中において当該提示制御情報中の制御用時間情報と前記経時的情報とを比較することにより当該制御用時間情報に示された時が到来すれば当該コンテンツに関する状態の変更を行う提示制御ステップとを含む
ことを特徴とする記録媒体。
【請求項１６】
番組の構成要素である複数のコンテンツを構成する複数のマルチメディアデータと、前記各コンテンツに対応する提示制御情報であり当該コンテンツを構成するマルチメディアデータの提示に関する初期状態を特定するための情報と当該コンテンツに関する状態の変更を指定する命令と当該命令の実行契機となる時間的情報である制御用時間情報とを含む提示制御情報と、複数の前記コンテンツを相互に関連づける情報であるリンク情報とを受信する装置にマルチメディアデータの提示に関するデータ提示制御処理を行わせるための制御プログラムを記録した記録媒体であって、
前記データ提示制御処理は、
現在における経時的情報を取得する経時的情報取得ステップと、
利用者の操作による他のコンテンツの提示指示を受け付けるリンク指示受付ステップと、
前記コンテンツの提示指示に従って各コンテンツを切り換えて提示する制御を行い、提示が必要となったコンテンツについて、受信された当該コンテンツに対応する提示制御情報に従い、前記初期状態とすべくマルチメディアデータの提示を制御し、当該コンテンツの提示中において当該提示制御情報中の制御用時間情報と前記経時的情報とを比較することにより当該制御用時間情報に示された時が到来すれば当該制御用時間情報に対応する命令を実行する提示制御ステップとを含む
ことを特徴とする記録媒体。